Podtech/llm-jp-corpus-v4-ja_patent huggingface dataset:
(57)【要約】      （修正有）【課題】刺繍の部分から雨水が染み込んで衣類等を濡らすということがない刺繍入り傘を提供する。【解決手段】刺繍を施した上の面（Ａ面）部分の下側に下の面（Ｂ面）を重ねて二重構造にすることと、Ａ面とＢ面の端に隙間をあけることで、刺繍の針目跡より滴り出る雨水をＢ面で受け止め、且つ外側に流れるようにしたことで、傘の刺繍をした部分からの雨漏れを解決した刺繍入り傘である。【選択図】図１
0003149410.tif 000002
【実用新案登録請求の範囲】
【請求項１】
刺繍を施した雨傘において、
刺繍を施した上の面の下側に上の面とまったく同じサイズの下の面を重ねて２重構造    にし、上の面と下の面のそれぞれ周縁部は縫付けない構造とした雨傘。
【考案の詳細な説明】
【技術分野】
【０００１】
この考案は、刺繍を施した雨傘に関する。
【背景技術】
【０００２】
従来の刺繍を施した雨傘は降雨時にさして使用するが、刺繍を形どった縫い目の部分に針跡としての微小な孔（針目）が生じることから、この孔を伝って雨水が滲み込んで傘の内側（下側）に雨が漏れ出てきて使用者が濡れることがあった。
【考案の開示】
【考案が解決しようとする課題】
【０００３】
この考案は、上記のこれまでの刺繍入り傘の問題点である使用者が濡れたり、その着ている衣類等を濡らすといったことを解決することを目的とするものである。
【課題を解決するための手段】
【０００４】
以上の課題を解決するために、この考案は、刺繍を施した傘布である上の面の下側に上の面と同じサイズの下の面を重ねて二重構造とし、そのぞれぞれの周縁部は縫い付けないで上の面の針目から浸み込んだ雨が下の面で受け止められ、その周縁部から外部に流れ出るようにしたことを特徴とした刺繍付雨傘である。
【考案の効果】
【０００５】
この考案によれば、刺繍を施すことで雨傘だけでなく、陽傘としても美的感覚を保つことができ、したがって天候の晴雨にかかわらず、雨天に雨傘として使用でき、晴れた時の陽傘としても使用できるものである。
【考案を実施するための最良の形態】
【０００６】
この考案の一実施形態を、図１に示す。傘布の一部の面であるＡ面（三角布）に所望の刺繍Ｃを施す。この刺繍Ｃを施したＡ面の下側にこのＡ面とまったく同じサイズの下の面、すなわちＢ面を重ねて２重構造で傘骨に縫い付ける。これにより２枚の傘布は骨にしっかり固定される。なお上下で重なったＡ面とＢ面の周縁部である縁回りは縫付けないで、Ａ面の刺繍部分から浸み込んだ雨がＢ面で受け止められて縫っていない周縁部から外部に流れ出るようにした。したがってその他の面は２重にする必要はない。
【産業上の利用可能性】
【０００７】
この考案によれば、刺繍部分より雨が漏れ、衣類を濡らしていたことがＢ面をつけることにより、その解決が出来、雨天時に濡れる心配が無くなる。Ａ面とＢ面の縁回りは縫付けないことにより、雨水がＡ面とＢ面の間に溜まることなく、スムーズに流れることができる。
【図面の簡単な説明】
【０００８】
【図１】この発明の実施形態の使用中を示す展開図である。
【図２】この発明の実施形態の使用中を示す横視図である。
【図３】この発明の実施形態の使用中を示す斜視図である。
【符号の説明】
【０００９】
Ａ  刺繍を施す上の面
Ｂ  刺繍を施す上面と同じサイズの下の面
Ｃ  刺繍
【図１】
0003149410.tif 000003
【図２】
0003149410.tif 000004
【図３】
0003149410.tif 000005
(57)【要約】【課題】  魚釣りにおいて、環境にやさしく、かつ集魚効果を加え、釣果を高める餌の開発。【解決手段】  リボフラビンの着色性、蛍光性、水溶性及び魚にとっての必須ビタミンであるという特性を生かし、集魚効果を高めた本考案のリボフラビン溶液２に釣餌３を漬込み、又は、混ぜ込み、その漬込み時間、混ぜ込み量により、蛍光の強さを調整し、釣果アップに役立つ餌が出来た。【選択図】  図１
0003149406.tif 000002
【実用新案登録請求の範囲】
【請求項１】
リボフラビンを表面又は、内部の少なくとも一部に付着浸透させ、着色し、蛍光性を与えた釣餌。
【考案の詳細な説明】
【技術分野】
【０００１】
本考案は、リボフラビンの特性である着色性、蛍光性および水溶性を利用した、釣餌調整液とそれに漬け込んだ釣餌に関するものである。
【背景技術】
【０００２】
従来、釣餌そのものを発光させ、釣果を上げる事（特許文献１参照）は、広く知られている。
【０００３】
また、蛍光する餌も紫外線本舗（登録商標）より販売されている。  
【先行技術文献】
【特許文献】
【０００４】
【特許文献１】特許第３４４３１２３号公報
【考案の概要】
【考案が解決しようとする課題】
【０００５】
ところが上記従来の光る餌は、発光が強すぎて、目標以外の小魚を集めたし、目標の魚でも、比較的小さな魚に食べられている、これは大きな魚は、警戒心が強く、それだから今まで捕獲されず、大きくなったと考えられる。
【０００６】
また、蛍光する餌に関しては、蛍光する位置及び蛍光の強さが、紫外線ライトをあてなければ確認できず、しかも明るい場所では、不可能である。
【０００７】
また、従来の光る餌では、発光の強弱の調整が、生産段階では、可能だが、現地での棚の深さ、水の濁り具合等により、発光の強さを、調整する事は、不可能である。
【０００８】
また、従来の光る餌の中には、科学塗料を使用し、海洋汚染の危険があり、そのもの自体、臭いによる集魚効果は、期待できなかった。
【課題を解決するための手段】
【０００９】
そこで請求項に関わる本考案では、釣餌の表面または、内部の少なくとも一部を着色蛍光させる釣餌調整液をリボフラビンで作ることにした。
【考案の効果】
【００１０】
そして本考案では、以下に記載する効果を奏する。
【００１１】
すなわち本考案では、リボフラビン溶液に、釣餌を浸す、又は、混ぜ込む事により着色、蛍光性分を浸透させることが出来、釣果アップが期待できる。
【００１２】
また、本考案のリボフラビン溶液に浸す時間を長くする、又は、混ぜ込む量を増やす事により、蛍光を強くする事が出来、その確認は、着色の濃淡で判断できる。
【００１３】
また、本考案のリボフラビン溶液は、リボフラビン添加量０，００１重量％〜１，５重量％の濃度調整によっても蛍光の強さを調整できる。
【００１４】
また、着色される事により、蛍光する位置が確認できる。
【００１５】
また、オキアミは、発光することが知られているが、本考案は、水溶性の為、オキアミの殻に付いたリボフラビン溶液は、水中で拡散してゆき、内部の一部だけ発光する事になり、より自然に近い発光を演出できる。
【００１６】
また、本考案のリボフラビンは、食品添加物である為、海洋汚染及び人体にとって危険性はない。
【００１７】
また、リボフラビン溶液に、集魚効果があるとされるグルタミン酸ソーダ（例えば味の素（登録商標））を混入させる事により、水中で拡散する為、発光以外の臭い、味での集魚効果も期待できる。
【００１８】
またリボフラビンは、魚にとって必須ビタミンであり、集魚効果が高い、したがって発光以外の集魚効果が加わっていると言える。
【図面の簡単な説明】
【００１９】
【図１】本考案のリボフラビン着色蛍光釣餌とリボフラビン溶液の実施例を示す説明図である。
【考案を実施するための最良の形態】
【００２０】
そして本考案は、以下に実施例を記す。
【実施例】
【００２１】
図１は、本考案のリボフラビン着色蛍光釣餌とリボフラビン溶液の実施例を示す説明図である。本考案のリボフラビン溶液２（リボフラビン添加量０．０４重量％）を皿等の漬込み容器１に入れる。
【００２２】
本考案のリボフラビン溶液（リボフラビン添加量０．０４重量％）に、釣針に付けた、図示しないオキアミの頭の部分を５秒以上漬込み、そのまま水中に投下、漬込み時間を棚の深さ、水の濁り具合等を観て調整する。
【００２３】
図１に示すように、本考案のリボフラビン溶液（リボフラビン添加量０．０４重量％）に、釣針４に付けた、釣餌３（いかの切り身）を１分以上漬込み、そのまま水中に投下、漬込み時間を棚の深さ、水の濁り具合等を観て調整する。こうして、リボフラビン溶液２を、釣餌３の表面又は、内部の少なくとも一部に付着浸透させ、着色し、蛍光性を与えた。
【００２４】
アサリ剥き身５００gに対して、本考案のリボフラビン溶液（リボフラビン添加量０．０４重量％）１０ｃｃ以上を混ぜ込み、釣餌として使用するが、混ぜ込み量を棚の深さ、水の濁り具合等を観て調整する。以上、いずれの釣餌についても、上記に列挙したような効果を確認できた。
【符号の説明】
【００２５】
１  漬込み容器
２  リボフラビン溶液
３  釣餌（いかの切り身）
４  釣針
【図１】
0003149406.tif 000003
(57)【要約】【課題】ペットボトルの飲み口は小さいものが多く、飲料を紙コップなどに移した際、ボトルキャップが転がることや、紙コップにはふたがないため、ほこりが入りやすく、口部分より底面が小さいので倒れやすいこともあり、ペットボトルにおいてコップで飲む状態を可能にする。【解決手段】ペットボトルから紙コップなどに飲料を移し替えなくても飲みやすいよう飲み口を広くし、安定性を増すようペットボトル全体が円筒形になるようにする。そして、飲み口の外側に付いているネジ部の一部を平滑にし、ネジ部の先端はなだらかに傾斜を付け、口に当たっても不快感が少ないようにする。【選択図】図１
0003149401.tif 000002
【実用新案登録請求の範囲】
【請求項１】
ペットボトルから紙コップなどに飲料を移し替えなくても飲みやすいよう飲み口を広くし、安定性を増すようペットボトル全体を円筒形にし、飲み口の外側に付いているネジ部の一部を平滑にし、ネジ部の先端はなだらかに傾斜を付け、口に当たっても不快感が少ないようにした、コップの機能を備えたペットボトル。
【考案の詳細な説明】
【技術分野】
【０００１】
本考案は、コップの機能を備えた飲料用ペットボトルに関するものである。
【背景技術】
【０００２】
昨今、人員・経費削減のため会議や来客時の飲料として、ペットボトルに紙コップやストローを組み合わせたり、ストロー付き紙パック飲料が出されることが増えてきた。使用後について、飲みかけのペットボトルは持ち帰り可能だが、一緒に出した紙コップやストローはゴミになる。飲みかけのストロー付き紙パック飲料の持ち帰りはほとんど無く、やはりゴミになってしまう。しかもゴミの分別が増える。また、来客用に無料自動販売機を設置している企業は、設置場所や経費において難しいため、かなり少ない。
【０００３】
紙パック飲料は、来客時には現在の状況として好印象とは言い難く出しづらい。ペットボトルの飲み口は小さいものが多く、飲料を紙コップなどに移した際、ボトルキャップが転がることもある。また、紙コップにはふたがないため、ほこりが入りやすく、口部分より底面が小さいので倒れやすい。
【０００４】
市販されているペットボトルに取り付け可能なコップやコップを付けたペットボトルなどが既に考案されているが、コップにほこりが入りやすいことや着脱の手間がある。
【０００５】
この改善策として、ペットボトルそのものがコップの機能を備えた造りにする。まず、キャップを閉めるとペットボトル全体が円筒形（図5）になるように、飲み口を広く（図1）する。そして、飲み口にはネジ部が外側に付いていることが多いが、コップの口当たりに近づけるため、ネジ部の一部を平滑（図2）にする。この時、ネジ部の先端はなだらかに傾斜を付け（図3）、口に当たっても不快感が少ないようにする。
【先行技術文献】
【特許文献】
【０００６】
【特許文献１】特許公開２００５−１４９１１号公報
【特許文献２】特許公開２００６−２４０６３３号公報
【考案の概要】
【考案が解決しようとする課題】
【０００７】
解決しようとする問題点は、ペットボトルの飲み口は小さいものが多く、飲料を紙コップなどに移した際、ボトルキャップが転がることや、紙コップにはふたがないため、ほこりが入りやすく、口部分より底面が小さいので倒れやすいこともあり、ペットボトルにおいてコップで飲む状態を可能にすることである。
【課題を解決するための手段】
【０００８】
本考案は、ペットボトルから紙コップなどに飲料を移し替えなくても飲みやすいよう飲み口を広くし、安定性を増すようペットボトル全体が円筒形になるようにする。そして、飲み口の外側に付いているネジ部の一部を平滑にし、ネジ部の先端はなだらかに傾斜を付け、口に当たっても不快感が少ないようにする。
【考案の効果】
【０００９】
本考案のコップ型ペットボトルは、紙コップやストローなどの付随品が必要ないため、経費節約やゴミ減量が可能になる。また、ペットボトルなのでキャップを閉めれば持ち運びが容易であり、キャップを飲み口にのせれば、ほこりも入りにくいという利点がある。
【図面の簡単な説明】
【００１０】
【図１】図１はコップ型ペットボトルの本体の斜視図である。（実施例１）
【図２】図２はネジ部の一部を平滑にした飲み口の側面図である。（実施例１）
【図３】図３は飲み口真上からの平面図である。（実施例１）
【図４】図４は図２の反対方向からの飲み口側面図である。（実施例１）
【図５】図５はキャップを閉めた場合のコップ型ペットボトルの斜視図である。（実施例２）
【考案を実施するための形態】
【００１１】
従来のペットボトルの飲み口を広くし、飲み口のネジ部の一部を平滑にするという単純な形態で、コップの使い勝手を実現した。キャップについては、サイズの変更のみで形状に変更はないため省略する。
【実施例１】
【００１２】
図１は、本考案コップ型ペットボトルの本体の斜視図であり、コップで飲む状態と同じようにするため、飲み口を広くし、安定性を増すようペットボトル全体を円筒形にする。そして、飲み口の外側に付いているネジ部の一部を平滑にし、ネジ部の先端はなだらかに傾斜を付け、口に当たっても不快感が少ないようにする。
【００１３】
図２はネジ部の一部を平滑にした飲み口の側面図であり、ネジ部の先端はなだらかに傾斜を付け、口に当たっても不快感が少ないようにする。
【００１４】
図３は飲み口真上からの平面図であり、飲み口においてネジ部がなく平滑になる部分となだらかに傾斜がついているネジ先端部を表す。
【００１５】
図４は図２の反対方向からの飲み口側面図であり、飲み口に平滑部分がなくネジ部が切り取られていない通常のペットボトル飲み口形態となっている。
【実施例２】
【００１６】
図５はキャップを閉めた場合のコップ型ペットボトルの斜視図であり、キャップを閉めるとペットボトル全体が円筒形で不要な凹凸がないため、下部がすぼまっているカップより安定性があり、保管勝手がよい。
【産業上の利用可能性】
【００１７】
ペットボトルの特性として保温・保冷ともに可能であるため、保温庫・保冷庫（冷蔵庫）に備えてあれば両方の要望に即時対応ができる。
【符号の説明】
【００１８】
１    ネジ部
２    飲み口
３    ペットボトル本体
４    キャップ
５    ネジ先端部
６    図４の５（ネジ先端部）
７    なだらかに傾斜がついているネジ先端部
８    飲み口においてネジ部がなく平滑になる部分
【図１】
0003149401.tif 000003
【図２】
0003149401.tif 000004
【図３】
0003149401.tif 000005
【図５】
0003149401.tif 000006
【図４】
0003149401.tif 000007
【手続補正書】
【提出日】平成21年2月8日(2009.2.8)
【手続補正１】
【補正対象書類名】実用新案登録請求の範囲
【補正対象項目名】全文
【補正方法】変更
【補正の内容】
【実用新案登録請求の範囲】
【請求項１】
ペットボトルから紙コップなどに飲料を移し替えなくても飲みやすいよう飲み口を広くし、安定性を増すようペットボトル全体を円筒形にし、飲み口の外側に付いているネジ部の一部を平滑にし、ネジ部の先端はなだらかに傾斜を付け、口に当たっても不快感が少ないようにした、コップの機能を備えたコップ型ペットボトル。
(57)【要約】      （修正有）【課題】手入れがしやすく中身を取り出しやすい、フタやメモリをつけた便利な機能を有した製氷皿を提供する。【解決手段】柔らかく扱えるシリコンを素材に用いることで、プラスチック製品よりも少ない力で、冷凍した物質の取出しが可能であり、角や辺に丸みをおわせることで、手入れへの負担を減らすことができる。また、フタをつけることで、臭い移り防止や収納時の場所を軽減でき、メモリをつけることで、計測の手間を省ける。【選択図】図１
0003149489.tif 000002
【実用新案登録請求の範囲】
【請求項１】
「シリコンを主成分とし、成形されている製氷皿など」の角をなくし辺に丸みをおわせ、現在主流であるプラスチック製のものより、扱いやすく手入れのしやすい製氷皿。
【請求項２】
請求項１の製氷皿に、臭い移り防止、収納時に重ねられて場所を取らない等の効果を得るためにフタをつける。
【請求項３】
請求項１の製氷皿の各マス内部に、容量別のメモリの溝をつけておく。
【考案の詳細な説明】
【技術分野】
【０００１】この考案はシリコンという柔らかい素材を用いることによって、製氷した中身を従来より少ない力で取り出しやすくすることができる。なお、角や辺に丸みをおわせることで手動による洗浄がしやすくなる。
さらに、専用のフタをつけることにより重ねて使用することができるため、収納の際に場所を取らずに済み、臭い移りの防止になる。
メモリを付けることで計量の手間が省け、時間の短縮につながる。
【背景技術】
【０００２】従来、シリコンで成形された製氷皿、フタがついている製氷皿は知られている。
【考案が解決しようとする課題】
【０００３】以下のような欠点を課題とする。
（イ）通常のプラスチック製氷皿は凍った中身を取り出すために、力がかかる。
離乳初期にかかせないおもゆは、取り出す時に氷よりも力と時間を要した。
（ロ）従来のシリコンで成形されている製氷皿を用いて離乳食を凍らせた際、重ねられないことで収納時の場所を取り、臭い移りによる味の低下などがみられた。
（ハ）（イ）のプラスチック製、（ロ）のシリコン製、どちらも角があるため非常に洗いにくく手入れに手間がかかった。
（ニ）離乳初期は、小さじ１杯程度の少量からスタートになるため、製氷皿のマスごとに計量の手間がかかった。
【課題を解決するための手段】
【０００４】柔らかく扱えるシリコンを素材に用いることで、プラスチック製品よりも少ない力で、冷凍した物質の取出しが可能であり、角や辺に丸みをおわせることで、手入れへの負担を減らすことができる。
フタをつけることで、臭い移り防止や収納時の場所を軽減でき、メモリをつけることで、計測の手間を省ける。
【考案の効果】
【０００５】本考案を利用すると内容物を外しやすいほかに、手入れがしやすく、フタを付けることで利用時の臭い移りを防ぎ、収納時にも場所を取らずに済む。また、メモリがついていることで、計量を必要とする際の時間短縮に効果がでる。
【図１】
0003149489.tif 000003
【図２】
0003149489.tif 000004
【手続補正書】
【提出日】平成20年11月12日(2008.11.12)
【手続補正１】
【補正対象書類名】実用新案登録請求の範囲
【補正対象項目名】全文
【補正方法】変更
【補正の内容】
【実用新案登録請求の範囲】
【請求項１】
シリコンを主成分として成形された製氷皿であって、角をなくし辺に丸みを帯びさせたことを特徴とする製氷皿。
【請求項２】
請求項１記載の製氷皿であって、フタをつけたことを特徴とする製氷皿。
【請求項３】
請求項１記載の製氷皿であって、各マス内部に容量別のメモリの溝をつけたことを特徴とする製氷皿。
【手続補正２】
【補正対象書類名】明細書
【補正対象項目名】全文
【補正方法】変更
【補正の内容】
【考案の詳細な説明】
【技術分野】
【０００１】この考案はシリコンという柔らかい素材を用いることによって、製氷した中身を従来より少ない力で取り出しやすくすることができる。なお、角や辺に丸みをおわせることで手動による洗浄がしやすくなる。
さらに、専用のフタをつけることにより重ねて使用することができるため、収納の際に場所を取らずに済み、臭い移りの防止になる。
メモリを付けることで計量の手間が省け、時間の短縮につながる。
【背景技術】
【０００２】従来、シリコンで成形された製氷皿、フタがついている製氷皿は知られている。
【考案が解決しようとする課題】
【０００３】以下のような欠点を課題とする。
（イ）通常のプラスチック製氷皿は凍った中身を取り出すために、力がかかる。
離乳初期にかかせないおもゆは、取り出す時に氷よりも力と時間を要した。
（ロ）従来のシリコンで成形されている製氷皿を用いて離乳食を凍らせた際、重ねられな      いことで収納時の場所を取り、臭い移りによる味の低下などがみられた。
（ハ）（イ）のプラスチック製、（ロ）のシリコン製、どちらも角があるため非常に洗い      にくく手入れに手間がかかった。
（ニ）離乳初期は、小さじ１杯程度の少量からスタートになるため、製氷皿のマスごとに      計量の手間がかかった。
【課題を解決するための手段】
【０００４】柔らかく扱えるシリコンを素材に用いることで、プラスチック製品よりも少ない力で、冷凍した物質の取出しが可能であり、角や辺に丸みをおわせることで、手入れへの負担を減らすことができる。
フタをつけることで、臭い移り防止や収納時の場所を軽減でき、メモリをつけることで、計測の手間を省ける。
【考案の効果】
【０００５】本考案を利用すると内容物を外しやすいほかに、手入れがしやすく、フタを付けることで利用時の臭い移りを防ぎ、収納時にも場所を取らずに済む。また、メモリがついていることで、計量を必要とする際の時間短縮に効果がでる。
【図面の簡単な説明】
【０００６】
【図１】平面図（上から見た図）
【図２】立体図（横から見た図）
【符号の簡単な説明】
【０００７】  １．土台となる、材質がシリコンの製氷皿。
２．臭い移り防止のフタ。
３．重ねることができるための凹部分。
４．重ねることができるための凸部分。
５．洗浄などの、手入れがしやすいための丸み。
６．計量するためのメモリ溝。
(57)【要約】【課題】Ｙシャツ、ブラウス、ズボンのすべり止をする。【解決手段】洋服のすべり止めバンド１は、ＰＶＣ（塩化ビニール）材質のすべり止め製品を細かく切った部材２の端末に面ファスナー３を取り付けたものである。この考案は、ＰＶＣ（塩化ビニール）の安い商品を利用し、Ｙシャツ４、ブラウス等がすべり止め製品を細かく切った部材２により上がってこない、又ズボン５等は下に下がりにくくなる。動き回っても衣服が乱れず、きちんと着ていることが出来る。【選択図】図２
0003149482.tif 000002
【実用新案登録請求の範囲】
ＰＶＣ（塩化ビニール）材質のすべり止め製品を細かく切って、端末にマジックテープを取り付け洋服のすべり止のバンド
【考案の詳細な説明】
考案の名称
Ｙシャツ、ブラウス、ズボンのすべり止
考案の詳細な説明
この考案はＰＶＣ（塩化ビニール）の安い商品を利用しＹシャツ、ブラウス等が上がってこない、又ズボン等は下に下がりにくくなります。動き回っても衣服が乱れず、きちんと着ていることが出来ます。
従来のゴム製品と違い、押えが出来て快適です。
図面の簡単な説明
▲１▼はクロスの平面図
▲２▼は立面図
0003149482.tif 000003
【手続補正書】
【提出日】平成20年1月23日(2008.1.23)
【手続補正１】
【補正対象書類名】実用新案登録請求の範囲
【補正対象項目名】全文
【補正方法】変更
【補正の内容】
【実用新案登録請求の範囲】
【請求項１】
ＰＶＣ（塩化ビニール）材質のすべり止め製品を細かく切った部材の端末に面ファスナーを取り付けたことを特徴とする洋服のすべり止のバンド。
【手続補正２】
【補正対象書類名】明細書
【補正対象項目名】全文
【補正方法】変更
【補正の内容】
【考案の詳細な説明】
【技術分野】
【０００１】  本考案は、Ｙシャツ、ブラウス、ズボンのすべり止に関するものである。
【背景技術】
【０００２】  従来のＹシャツ、ブラウス、ズボンのすべり止はゴム製品であった。
【考案の開示】
【考案が解決しようとする課題】
【０００３】  従来のゴム製品はすべり止めによる押えが出来なかったので、Ｙシャツ、ブラウス等が上がったり、又ズボン等は下に下がったりする。解決しようとする問題点は、すべり止めによる押えが出来る点である。
【課題を解決するための手段】
【０００４】  請求項１の考案は、ＰＶＣ（塩化ビニール）材質のすべり止め製品を細かく切った部材の端末に面ファスナーを取り付けたものである。
【考案の効果】
【０００５】  請求項１の考案によれば、ＰＶＣ（塩化ビニール）材質のすべり止め製品を細かく切った部材によるすべり止めにより押えが出来て快適である。
【実施例】
【０００６】  洋服のすべり止めバンド１は、ＰＶＣ（塩化ビニール）材質のすべり止め製品を細かく切った部材２の端末に面ファスナー３を取り付けたものである。この考案は、ＰＶＣ（塩化ビニール）クロス（ＰＶＣ材が交差（クロス）しているもの）のようなＰＶＣ（塩化ビニール）の安い商品を利用し、すべり止め製品を細かく切った部材２によりＹシャツ４、ブラウス（図示せず）等が上がってこない、又ズボン５等は、ＰＶＣ（塩化ビニール）材質のすべり止め製品を細かく切った部材２によって下に下がりにくくなり、動き回っても衣服が乱れず、きちんと着ていることが出来る。従来のゴム製品と違い、ＰＶＣ（塩化ビニール）材質のすべり止め製品を細かく切った部材２によりすべり止めによる押えが出来て快適である。
【図面の簡単な説明】
【０００７】
【図１】  実施例を示した平面図である。
【図２】  実施例を示した立面図である。
【符号の説明】
１  すべり止めバンド
２  ＰＶＣ（塩化ビニール）材質のすべり止め製品を細かく切った部材
３  面ファスナー
４  Ｙシャツ
５  ズボン
【手続補正３】
【補正対象書類名】図面
【補正対象項目名】全図
【補正方法】変更
【補正の内容】
【図１】
0003149482.tif 000004
【図２】
0003149482.tif 000005
(57)【要約】      （修正有）【課題】夜間に傘を使用する場合に、傘を光らせることで傘を使用する際の安全性を与えることができる光り傘を提供する。【解決手段】傘の幕を支える骨組の先端部分に、各種ランプや夜光性物質など種類を問わない発光物体１を組み込み、あるいは取り付け、あるいはぶら下げ、あるいは塗布貼付などすることにより、スイッチ２によるか、自発光することによって、傘の幕を支える骨組の先端部分が光るように光り傘を構成する。先端部分の骨組の先端の留め具等と併用あるいは代用して構成しても良い。【選択図】図１
0003149490.tif 000002
【実用新案登録請求の範囲】
【請求項１】
傘の幕を支える骨組の先端部分に、各種ランプや夜光性物質など種類を問わない発光物体を組み込み、あるいは取り付け、あるいはぶら下げ、あるいは塗布貼付などすることにより、スイッチによるか、自発光することによって、傘の幕を支える骨組の先端部分が光るあらゆる構造を含む（先端部分の骨組の先端の留め具等と併用あるいは代用することを含む）。発光物質の形状、数、色、サイズ、存在場所は問わない。スイッチおよび配線をする場合は、スイッチを取手部に設け、あるいは配線を傘の支柱、骨組の埋設させる方法などを含む。
【考案の詳細な説明】
【技術分野】
【０００１】  本考案は、夜間に傘を使用する場合に、傘を光らせることで傘を使用する際の安全性を与えるものである。
【背景技術】
【０００２】  発光物体には各種あるが、ランプの場合はＬＥＤなどコスト的に安く長寿命の製品もあり、電池も小型化するなどしている。
【考案の開示】
【考案が解決しようとする課題】
【０００３】  夜間に傘を使用する場合などに、他者から認識されにくいか、認識されることが遅れることなどに伴う危険が生じうるが、傘を光らせることにより、傘を使用する者を他者が注意することができ、傘使用時などにおける使用者および他者の安全性を高めることができる。
【課題を解決するための手段】
【０００４】  傘の幕を支える骨組の先端部分に、各種ランプや夜光性物質など種類を問わない発光物体を組み込み、あるいは取り付け、あるいはぶら下げ、あるいは塗布貼付などすることにより、スイッチによるか、自発光することによって、傘の一部分ないし全体を光らせることが可能である。
【考案の効果】
【０００５】  傘の幕を支える骨組の先端部分に、各種ランプや夜光性物質など種類を問わない発光物体を組み込み、あるいは取り付け、あるいはぶら下げ、あるいは塗布貼付などすることにより、スイッチによるか、自発光することによって、傘の一部分ないし全体を光らせることが可能となり、傘使用時の安全性を高めることができる。
【考案を実施するための最良の形態】
【０００６】  各種ランプを、傘の幕を支える骨組の先端部分（先端部分の骨組の先端の留め具等と併用あるいは代用することを含む）などに使用する場合は、安価で消費電力が少なく、耐久性、耐衝撃性などがあるＬＥＤを使用することが可能である。
傘の骨組には配線（骨組に埋没する配線を含む）を設けうるし、傘の支柱の内部にそれを通すことで意匠性、使用性を損なうこともない。電源としては、取手部分内部などに電池を設けることも可能であるし、取手部分の握力を感知して点灯させる方法など、色々な点灯方法の応用は可能となる。
【実施例】
【０００７】  各種ランプを、傘の幕を支える骨組の先端部分（先端部分の骨組の先端の留め具等と併用あるいは代用することを含む）などに使用する場合は、安価で消費電力が少なく、耐久性、耐衝撃性などがあるＬＥＤを使用することが可能である。
傘の骨組には配線（骨組に埋没する配線を含む）を設けうるし、傘の支柱の内部にそれを通すことで意匠性、使用性を損なうこともない。電源としては、取手部分内部などに電池を設けることも可能であるし、取手部分の握力を感知して点灯させる方法など、色々な点灯方法の応用は可能となる。
【産業上の利用可能性】
【０００８】  傘を夜間に使用する際の安全性を確保する観点からは、学生、生徒、児童などはもとより、大人であっても光る傘を持つことにより、傘使用者あるいは他者の安全性を高めることができる。
【図面の簡単な説明】
【０００９】
【図１】発光物質を傘の骨組の先端部に取り付けた一例の図である。
【符号の説明】
１．  発光物質（各種ランプなど）
２．  スイッチ（点灯方法にスイッチ方式を設ける場合の一例）
【図１】
0003149490.tif 000003
【手続補正書】
【提出日】平成21年1月4日(2009.1.4)
【手続補正１】
【補正対象書類名】実用新案登録請求の範囲
【補正対象項目名】全文
【補正方法】変更
【補正の内容】
【実用新案登録請求の範囲】
【請求項１】
傘の幕を支える骨組の先端部分に、各種ランプや夜光性物質など発光物体を組み込み、あるいは取り付けた構造を有し、当該発光物体が、傘の幕を支える骨組先端部分の留め具と併用あるいは代用される構造を有する光り傘。
(57)【要約】      （修正有）【課題】片手で楽に強力に締付けられる機構をもつバンド締結工具を提供する。【解決手段】バックル式梱包用樹脂バンド締付け工具であって、バックルに引っ掛ける本体フック部と、摩擦力とレバーによるバンド締付けとバンド硬度によるバンド送り部を備えた締付け手段と、トリガーを引くことによりブレードがバンド締付け完了後のバンドをカットするバンド切断部と、を片手操作が可能なように一体として備えたことを特徴とする。【選択図】図２
0003149483.tif 000002
【実用新案登録請求の範囲】
【請求項１】
テコとフリクションの機構でバックル式梱包バンドを片手で強力に締付ける工具
【考案の詳細な説明】
【技術分野】本考案は梱包バンドをバックルに通した後に、片手で楽に強力に締付けられる機構をもつ工具である。
【背景技術】バックルの片方に本工具の片方を引っ掛けて、テコとフリクションの機構によりバンドで締付ける。
【考案の開示】
【考案が解決しようとする課題】バックル式梱包バンドを重量物に掛け、バックルに通した後に、両手で強く締付ける作業は多量に取り扱う場合に重労働であった。これを楽で強力に締付けると共にバンドを適切な位置でカットする。
【課題を解決するための手段】片手でテコとフリクションの機構で梱包バンドを強く締付ける。
【考案の効果】腕力のない人でも片手で多量に強く締結でき、且ついままでのような両手のバンド握り部帯長の無駄がなくなる。
【考案を実施するための最良の形態】片手でバックルの片方に本工具を引っ掛け、レバーを握ることによりバンドが引かれ締付けられると共に任意の諦付け力に達したならそこでバンドをカットすることができる。
【実施例】図２は本機構をもつ工具の実施例の側面図である。
【産業上の利用可能性】バックル式梱包バンドを使用する全業種の梱包作業現場でその効果を発揮することができる。
【図面の簡単な説明】
【図１】本工具の平面図である。
【図２】本工具の側面図である。
【図３】本工具の正面図である。
【符号の説明】
１本体
２締込レバー
３フリクショングリップ
４バックルフック
５カットブレード
６カットトリガー
７フリクション調整ネジ
８バンドピンチレバー
【図１】
0003149483.tif 000003
【図２】
0003149483.tif 000004
【図３】
0003149483.tif 000005
【手続補正書】
【提出日】平成20年7月14日(2008.7.14)
【手続補正１】
【補正対象書類名】実用新案登録請求の範囲
【補正対象項目名】請求項１
【補正方法】変更
【補正の内容】
【請求項１】
金属又はプラスチックによって作られたコンパクトな片手動作によるレバーと摩擦機構に依る機動性に富む、バックル式梱包バンドの強力締付工具
0003149483.tif 000006
0003149483.tif 000007
【手続補正書】
【提出日】平成20年11月4日(2008.11.4)
【手続補正１】
【補正対象書類名】実用新案登録請求の範囲
【補正対象項目名】請求項１
【補正方法】変更
【補正の内容】
【請求項１】
バックル式梱包用樹脂バンド締付け工具であって、バックルに引っ掛ける本体フック部と、摩擦力とレバーによるバンド締付けとバンド硬度によるバンド送り部を備えた締付け手段と、トリガーを引くことによりブレードがバンド締付け完了後のバンドをカットするバンド切断部と、を片手操作が可能なように一体として備えたことを特徴とするバンド締結工具。
【手続補正２】
【補正対象書類名】明細書
【補正対象項目名】全文
【補正方法】変更
【補正の内容】
【考案の詳細な説明】
【技術分野】
【０００１】本考案は梱包バンドをバックルに通した後に、片手で楽に強力に締付けられる機構をもつ工具である。
【背景技術】
【０００２】バックルの片方に本工具の片方を引っ掛けて、テコとフリクションの機構によりバンドで締付ける。
【考案の開示】
【考案が解決しょうとする課題】
【０００３】バックル式梱包バンドを重量物に掛け、バックルに通した後に、両手で強く締付ける作業は多量に取り扱う場合に重労働であった。これを楽で強力に締付けると共にバンドを適切な位置でカットする。
【課題を解決するための手段】
【０００４】片手でテコとフリクションの機構で梱包バンドを強く締付ける。
【考案の効果】
【０００５】従来の固定された器具や複数の工具を使っての梱包は機動性がなく、又水分を使う現場では錆の発生でトラブルの元であった。
本工具はプラスチック、ステンレス等を主材として軽量コンパクトで機動性があり腕力のない人でも、片手で楽に強力に締結でき、且つ両手で締込む為の無駄な帯長が不要である。
【考案を実施するための最良の形態】
【０００６】片手でバックルの片方に本工具を引っ掛け、レバーを握ることによりバンドが引かれ締付けられると共に任意の締付け力に達したならそこでバンドをカットすることができる。
本工具は梱包対象物に梱包バンドが巻かれ梱包バンド用バックルが取付けられた状態で使用する。片手で操作できる形状で素材は鋼又は主な素材がプラスチックである。［図２］において、符号１の本体を片手で持ち、符号４のフック部を梱包バンドに取付けられたバックルに掛ける。
この状態で、符号８の摩擦機構のレバーを親指で押下すると、符号３のバンド挟み部が開放となる。そこに点線図示の梱包バンドを通し親指を離すと梱包バンド挟み部が閉鎖となり梱包バンドが挟まれる。この状態で符号２の握り部を握り締めることでテコと摩擦作用により梱包バンドが引締められる。一層強く締め込むには繰返し握るが、その時上記親指の動作は不要で梱包バンドの硬度により挟み部が自動的に押し上げられ開放されることにより梱包バンドが送られる。
締込み完了ならば符号６のトリガーを人差し指で引くと符号５のブレードがスライドして梱包バンドを切断する
【実施例】
【０００７】図２は本機構をもつ工具の実施例の側面図である。
【産業上の利用可能性】
【０００８】バックル式梱包バンドを使用する全業種の梱包作業現場でその効果を発揮することができる。
【図面の簡単な説明】
【０００９】
【図１】本工具の平面図である。
【図２】本工具の側面図である。
【図３】本工具の正面図である。
【符号の説明】
【００１０】１本体
２締込レバー
３フリクショングリップ
４バックルフック
５カットブレード
６カットトリガー
７フリクション調整ネジ
８ハンドピンチレバー
【手続補正３】
【補正対象書類名】手続補正書
【補正対象項目名】手続補正３
【補正方法】削除
【補正の内容】
(57)【要約】      （修正有）【課題】ペンチの機能を損なわず、モンキーレンチやスパナプライヤー等のように６角、４角のナット及びボルトを確実に締め付けたり緩めたりが容易に出来るレンチ機能付きペンチを提供する。【解決手段】ペンチ本体の刃１とくぼみ部２の部分が針金や電線等を切る為の構成部となっている。そのくぼみ部２を６角や４角のナットの角、ボルトの角を確実に保持固定出来るように１２本の溝を設けた。１２本の溝を設けることによりナットやボルトを確実に保持固定出来るので、ペンチの滑りも無くなり締め付けたり緩めたりが容易に出来る。【選択図】図３
0003149632.tif 000002
【実用新案登録請求の範囲】
【請求項１】
この考案は  作業の現場で  ６角や４角のボルトやナットを  締め付けたり  緩めたりする時  その為の専用工具  モンキーレンチ  スパナ  プライヤー等を使用するが  その工具が手許に無い場合  他の工具で代用する事がある。
特にペンチは頑丈な工具であり  金槌代わりに使ったり  ボルトやナットをはさんで締め付けたり  緩めたりするのに使う事もある。しかし  従来のペンチでは  確実にボルトやナットを  緩めたり  締め付けたり  するには容易には出来ない。
それで  切る  掴む  回す  曲げる等  ペンチそのものの機能と  頑丈さと  強度を損なわず  モンキーレンチ  スパナ  プライヤー等と同様に  ６角又は４角のボルトやナット  を  容易に  そして確実に  締め付けたり  緩めたり  出来る機能を  持たせたレンチ付きペンチ  である。
【考案の詳細な説明】
【技術分野】
【０００１】本考案はペンチの機能と強度を損なわず  モンキーレンチやスパナ等のようにボルトやナット等を  強く  堅く  確実に締め付け又緩めたり出来るように改良した。
一搬家庭  電気機器及び設備工事  機械器具組立及び修理  住宅機器及び設備工事  土木及び建築  等の  あらゆる場所  作業現場等  で利用出来る。
【背景技術】
【０００２】あらゆる作業現場で  作業の内容によってそれぞれの専用工具を使って作業するが  ペンチに  モンキーレンチ  スパナ  プライヤー等の  締め付けたり  緩めたりの機能を持たせる事で  工具の簡素化と作業の能率向上になる。
【考案の開示】
【考案が解決しようとする課題】
【０００３】従来のペンチには  切る  掴む  曲げる  回す等  ペンチ本来の機能はあるが  ボルトやナット等を  締め付けたり  緩めたり  の機能が無かった。
【課題を解決するための手段】
【０００４】図２の（１）刃と  くぼみ（２）の部分が  ペンチの一番の機能ともいえる針金や電線等を切るための構成部分となっていて  その  くぼみ（２）は  ほとんどのペンチが丸（３）く  くりぬいただけである  その丸みの部分を  ６角や４角の  ナットの角  又ボルトの角が  確実に固定出来るように  図３の（４）のように１２本の溝を設けた
【考案の効果】
【０００５】図３の（４）のように  １２本の溝を設ける事により  ナットやボルトの角が溝に確実に保持固定されるので  ペンチの滑りもなく  締め付けたり緩めたりが容易になりレンチ機能が付加される事により  工具の簡素化又作業の能率向上になる。
【図面の簡単な説明】
【０００６】
【図１】ペンチ本体表平面図
【図２】ペンチ本体裏平面図（円内は図３への拡大部）
【図３】考案したレンチ部分の拡大図
【符号の説明】
【０００７】（１）    刃
（２）    くぼみ部
（３）    まるみ部
（４）    レンチ改良部
【図１】
0003149632.tif 000003
【図２】
0003149632.tif 000004
【図３】
0003149632.tif 000005
【手続補正書】
【提出日】平成20年9月9日(2008.9.9)
【手続補正１】
【補正対象書類名】実用新案登録請求の範囲
【補正対象項目名】全文
【補正方法】変更
【補正の内容】
【実用新案登録請求の範囲】
【請求項１】
本考案はペンチ本体裏の平面図図２のくぼみ部（２）の廻りのまるみ部（３）をペンチ本体裏面平面のレンチ部の拡大図図３のレンチ改良部（４）のように１２本の角溝とする事でボルトやナットの角を確実に保持固定出来る事を特長とするレンチ機能付きペンチ。
【手続補正２】
【補正対象書類名】明細書
【補正対象項目名】全文
【補正方法】変更
【補正の内容】
【考案の詳細な説明】
【技術分野】
【０００１】  従来のペンチの機能と強度を損なわず、モンキ−レンチやスパナ等のようにボルトやナット等を強く堅く確実に締め付け又緩めたり出来るように改良した、一般家庭、電気機器及び設備機器工事、機械器具組立及び修理、建築及び土木工事等あらゆる場所と作業現場等で利用出来る。
【背景技術】
【０００２】  あらゆる場所と作業現場での作業内容によってそれぞれの専用工具を使って作業するが  モンキ−レンチ  スパナ  プライヤ−等の締め付け又緩める等のレンチ機能を持たせる事で工具の簡素化と作業の能率向上になる。
【考案の開示】
【考案が解決使用とする課題】
【０００３】  従来のペンチには  切る  掴む  曲げる  回す等  ペンチ本来の機能はあるがボルトやナット等を  締め付け又緩めるの機能が無かった。
【問題を解決するための手段】
【０００４】  図２の刃１とくぼみ部２の部分がペンチの一番の機能ともいえる  針金や電線などを切断するための構成部分となっていて  くぼみ部２はほとんどのペンチがまるみ部３のように丸くくりぬいただけであり  そのまるみ部３を６角や４角のボルトやナットの角を確実に保持固定出来るように図３のレンチ改良部４のように１２本の角溝を設けた。
【考案の効果】
【０００５】  図３のレンチ改良部４のように１２本の角溝を設ける事によりボルトやナットの角が角溝に確実に保持固定されるので  ペンチの滑りが無く締め付けたり  緩めたりが容易になりレンチ機能が付加される事により工具の簡素化又  作業の能率向上になる
【図面の簡単な説明】
【０００６】
【図１】ペンチ本体の表平面図である
【図２】ペンチ本体の裏平面図である
【図３】レンチ本体裏面平面のレンチ部の拡大図である
【符号の説明】
【０００７】１  刃
２  くぼみ部
３  まるみ部
４  レンチ改良部
【手続補正３】
【補正対象書類名】図面
【補正対象項目名】全図
【補正方法】変更
【補正の内容】
【図１】
0003149632.tif 000006
【図２】
0003149632.tif 000007
【図３】
0003149632.tif 000008
【手続補正書】
【提出日】平成21年1月8日(2009.1.8)
【手続補正１】
【補正対象書類名】実用新案登録請求の範囲
【補正対象項目名】全文
【補正方法】変更
【補正の内容】
【実用新案登録請求の範囲】
【請求項１】
ペンチ本体裏面側くぼみ部の周囲のまるみ部を  均等分割した三角形状の角溝を設ける事により  六角又は四角のボルト及びナットを確実に固定保持出来る事を特徴とする  レンチ機能付きペンチ
(57)【要約】      （修正有）【課題】大きな反射板を簡単に折り畳んで携帯や収納がコンパクトにでき、使用中大きな反射板が風を受けて倒れないよう、しっかり固定することができる固定板を有する紙製の太陽熱調理器を提供する。【解決手段】逆四角錐上に一体形成された大きな反射板に押し型により複数の折り線を付け、その折り線に沿って折り畳み、小さい体積にすることができるものである。太陽熱で調理をする時、集熱内箱に固定板６を取り付けることにより大きな反射板が倒れることなく使用出来る構成とする。【選択図】図９
0003149636.tif 000002
【実用新案登録請求の範囲】
【請求項１】
太陽光を受けて集光し、熱を溜めて調理する太陽熱調理器において、太陽光を受けて集光する反射板を、折り畳むことができる紙製の太陽熱調理器。
【請求項２】
使用中に倒れることのないよう固定板を、集熱内箱に設けた太陽熱調理器。
【考案の詳細な説明】
【技術分野】
【０００１】  この考案は、太陽光を集光して集熱箱に太陽熱を溜め、ゆで卵や湯沸かしができる太陽熱調理器において、大きな反射板を簡単に折り畳んで携帯や収納がコンパクトにでき、使用中大きな反射板が風を受けて倒れないようしっかり固定することができる紙製の太陽熱調理器に関する考案である。
【背景技術】
【０００２】  太陽熱調理器において、太陽光を集光して集熱箱に高温の太陽熱を溜めるには、多くの太陽光を受ける面積の広い反射板が必要である。そのために、反射板が大きくなり携帯や収納には大変不便であった。
また、反射板が大きくなれば、野外で使用中、子供が触れたり風を受けて倒れやすく危険でもあった。
【考案の開示】
【考案が解決しようとする課題】
【０００３】  この考案は、太陽光を集光して集熱箱に太陽熱を溜め、ゆで卵や湯沸かしができる太陽熱調理器において、大きな反射板を簡単に折り畳んで携帯や収納がコンパクトにでき、使用中大きな反射板が風を受けて倒れないようしっかり固定することができる紙製の太陽熱調理器を提供する事を目的としている。
【課題を解決するための手段】
【０００４】  上記目的を達成するために、逆四角錐上に一体形成された大きな反射板に押し型により複数の折り線を付け、その折り線に沿って折り畳み、小さい体積にすることができるものである。
また、上記目的を解決するために、太陽熱で調理をする時、反射板を固定し反射板により熱を集め溜める集熱内箱に固定板を取り付けることにより子供が触れたり風を受けて倒れることを解決できるものである。
【考案実施の形態】
【０００５】  図１に示す太陽熱調理器の部材、反射板１、透明蓋２、集熱外箱３、断熱材４、集熱内箱５、固定板６を組み立てて、図２に示す太陽熱調理器において、太陽光から熱を取り込みやすいよう逆四角錐上に一体形成された大きな反射板１に、図３に示すように、押し型による複数の折り線８ー１、８ー２を付け、その折り線８ー１、８ー２に沿って、図４、図５、図６に示す矢印Ａ、矢印Ｂ、矢印Ｃ、矢印Ｄの順に簡単に折り畳むことができる。また、太陽熱調理器として使用する時には、簡単に広げて大きな反射板１を形成することができるものである。
【０００６】  図７に示すように、固定板６を、集熱内箱５の固定板用穴１２を通し、図８に示すように断熱板４で上から押さえ付けるようにセットする。固定板６の両端には固定用穴９が開けてあり、図９に示すように芝生等の柔らかい場所で太陽熱調理をする場合は、ペグ１０を差し込んで固定することができる。
また図１０に示すように河原やコンクリート等硬い場所で太陽熱調理を行う場合は、固定板６の両端に、石やブロック等の重石１１をのせて固定することができるものである。
集熱箱とは、透明蓋２、集熱外箱３、断熱材４、集熱内箱５をセットして太陽熱を溜めることができる箱をいう。
以上  実施例について説明したが次のような実施態様によっても対応可能である。
（１）反射板１は、段ボール、ボール紙などを使用できる。
（２）固定板６は  木材、集成材、ベニヤ板、プラスチック板、金属板などを使用できる。
【考案の効果】
【０００７】  この考案は、太陽光を集光して集熱箱に太陽熱を溜め、ゆで卵や湯沸かしができる太陽熱調理器において、逆四角錐上に一体形成された大きな反射板に押し型により複数の折り線を付け、その折り線に沿って折り畳み、小さい体積にすることにより、大きな反射板を簡単に折り畳んで携帯や収納がコンパクトにできる効果がある。
さらに、集熱内箱に固定板を取り付けることにより、子供が触れて倒れることなく、また使用中大きな反射板が風を受けて倒れないようしっかり固定でき安心して使用することができる効果がある。
【図面の簡単な説明】
【図１】  太陽熱調理器の部材を示す斜視図
【図２】  太陽熱調理器の部材を組み立てた完成図
【図３】  反射板の折り畳みの手順を示す図
【図４】  反射板の折り畳みの手順を示す図
【図５】  反射板の折り畳みの手順を示す図
【図６】  反射板の折り畳みの手順を示す図
【図７】  固定板の組み立ての手順を示す図
【図８】  固定板の組み立ての手順を示す図
【図９】  固定板の使用状態を示す図
【図１０】  固定板の使用状態を示す図
【符号の説明】
１：反射板    ２：透明蓋        ３：集熱外箱
４：断熱板    ５：集熱内箱      ６：固定板
７：太陽      ８−１：横折り線  ８−２：縦折り線
９：固定用穴  １０：ペグ        １１：重石
１２：固定板用穴
Ａ，Ｂ，Ｃ，Ｄ：折り畳み順を示す矢印
【図１】
0003149636.tif 000003
【図２】
0003149636.tif 000004
【図３】
0003149636.tif 000005
【図４】
0003149636.tif 000006
【図５】
0003149636.tif 000007
【図６】
0003149636.tif 000008
【図７】
0003149636.tif 000009
【図８】
0003149636.tif 000010
【図９】
0003149636.tif 000011
【図１０】
0003149636.tif 000012
【手続補正書】
【提出日】平成21年1月6日(2009.1.6)
【手続補正１】
【補正対象書類名】実用新案登録請求の範囲
【補正対象項目名】全文
【補正方法】変更
【補正の内容】
【実用新案登録請求の範囲】
【請求項１】
太陽光を受けて集光し、熱を溜めて調理する太陽熱調理器において、太陽光を受けて集光する反射板を、折り畳むことができる紙製の太陽熱調理器。
【請求項２】
太陽光を受けて集光し、熱を溜めて調理する太陽熱調理器において、使用中に倒れることのないよう固定板を、集熱内箱に設けたことを特徴とする請求項１記載の太陽熱調理器。
(57)【要約】      （修正有）【課題】風力を効率よく集風して弱風時にも風力を活用できる風力発電用の強制集風・風圧強化送風装置を提供する。【解決手段】弱風時にも風力を捕らえ風圧を高めて活用する方法として常に風向に向かいラッパ状に大きく開いた集風口を下部の固定送風ダクト上で風向尾翼により３６０度全風向に対向する集風口を設置した集風装置で風量を取り込み風圧として送風ダクトに集中的に送り込み弱風も微風も風力エネルギーとして活用する。受風口はレジュウサーダクトにより受風する、大口径受風口により受風した風量はレジュウサーによる風量絞り込み効果により風圧を強化された風圧は受風口径面積の４分の１の断面積の送風管にて風量を圧縮された風圧として、あらかじめ水平に設置したプロペラの羽根対向２箇所の部分に風圧として集中吹き付けする。【選択図】図−１
0003149631.tif 000002
【実用新案登録請求の範囲】
【請求項１】
この考案に関する装置は固定された送風ダクトの上部に風向によっては方向尾翼を有する集風開口部が風向きにより水平方向に３６０度全方向に方向を変え集風開口部を風向きに向かわせることが可能なスラストジョイント付きラッパ状開口集風ダクトによる集風風圧強化風圧送風ダクトである。
【考案の詳細な説明】
【技術分野】
【０００１】本考案は自然エネルギーの採集活用に関するものである
【従来の技術分野】
【０００２】自然エネルギーのひとつとして風力で風車を回し発電機を接続し電力を得ている
【考案が解決しようとする課題】
【０００３】従来自然エネルギー風力の活用は自然風の風向風力にまかせ風車等を回転させる動力源として活用されているが、自然風をむだに流している面が多々ある
【課題を解決するための手段】
【０００４】この考案は従来自然風のまま風まかせで活用していた風力を、集風口のラッパ状に広く開口した集風口を常時風上へ向かわせるべく接続した風向尾翼により開口集風口を常に風上へ向かわせ効果的な集風を行い集風量を大きく確保する
集風口はラッパ状に広く開いた集風口により集風した風量はラッパ状レジュウサ効果により風圧として強められ受風口断面積の４分の１の送風管断面積の狭い送風管へ強制的に受風圧により送り込まれる、送り込まれた風圧を風力エネルギーとして送風ダクトから排出する強化された風圧を活用する
【考案の効果】
【０００５】自然風により風まかせで活用していた風力をラッパ状の受風口を常に風上へ向ける風向尾翼により常時強制的に受風する事が可能となる、受風した風力は受風口ダクトのレジュウサー効果により強められた風圧として風力を活用することにより自然エネルギー風力の活用効果は濃縮され倍加する。
【図面の簡単な説明】
【図−１】強制集風風圧送風ダクト概略斜視図（フリーハンド）
【図−２】強制集風風圧送風ダクト概略右側面図（フリーハンド）
【図−３】強制集風風圧送風ダクト受風口側正面図（フリーハンド）
【図−４】強制集風風圧送風ダクト上平面図（フリーハンド）
【図−５】強制集風風圧送風ダクト図−４Ａ−Ｂ断面図（フリーハンド）
【符号の説明】
図−１〜図−２  共通符号
〔図−１〕強制集風風圧強化送風装置全体の斜視図
１．集風口
２．向風風向に向け集風口の向きを変える回転台座兼送風ダクト
３．送風ダクト
３′．送風ダクト２方向分岐の１．
３″．送風ダクト２方向分岐の２．
４．受風口方向回転用スラストリング
５．風向尾翼上羽根    ５′．下羽根
６．受風口及び送風ダクト受け台座リング
７．送風ダクト架台枠フレーム
７′．架台枠フレームの上部枠フレーム
８．送風ダクト風圧排出口１．
８′．送風ダクト風圧排出口２．
９．上記３．送風ダクトの対風向回転用回転軸
〔図−２〕図−１と同符号
図中８．及び８′．の下部余分図は、既  出願登録第３１３０５９０号
（雨水を活用して電力を生産するための水平回転装置）下部部分断面であり今回出願の本考案強制集風送風装置は上記先願登録装置への補助的動力補助装置であり、目障りの段平にご容赦を。上記４行削除の程。
【図−１】
0003149631.tif 000003
【図−２】
0003149631.tif 000004
【図−３】
0003149631.tif 000005
【図−４】
0003149631.tif 000006
【図−５】
0003149631.tif 000007